(57)【要約】【課題】  多重露出撮影中にイメージサークルが異なるレンズ、又は、歪曲補正などの画像処理による光学補正が必須なレンズへ付け替えた場合の不自然な合成画像が生成されることを防止する。【解決手段】  レンズ交換可能な撮像部を有する撮像装置であって、撮像部による複数回の撮像を行って得た複数の画像を合成し、合成画像を生成する合成部と、レンズの着脱を検出する検出部と、該検出部による検出に応じて合成部を制御する制御部とを有する。ここで制御部は、合成部による複数回の撮像を行っている際に検出部による検出に基づいてレンズの再装着があり、且つ、再装着されたレンズのイメージサークルが、再装着以前に装着されていたレンズのイメージサークルと異なる場合、撮像部による合成画像を生成するための撮像を中断する。【選択図】  図４
2020005033.tif 000002
【特許請求の範囲】
【請求項１】
レンズ交換可能な撮像手段を有する撮像装置であって、
前記撮像手段による複数回の撮像を行って得た複数の画像を合成し、合成画像を生成する合成手段と、
レンズの着脱を検出する検出手段と、
該検出手段による検出に応じて前記合成手段を制御する制御手段とを有し、
該制御手段は、
前記合成手段による複数回の撮像を行っている際に前記検出手段による検出に基づいてレンズの再装着があり、且つ、再装着されたレンズのイメージサークルが、再装着以前に装着されていたレンズのイメージサークルと異なる場合、前記撮像手段による前記合成画像を生成するための撮像を中断する
ことを特徴とする撮像装置。
【請求項２】
前記制御手段は、
前記合成手段による複数回の撮像を行っている際に前記検出手段による検出に基づいてレンズの再装着があり、且つ、再装着されたレンズのイメージサークルが、再装着以前に装着されていたレンズのイメージサークルと異なる場合、再装着以前に装着されていたレンズと同じイメージサークルのレンズが装着されるのを待ち、当該再装着により前記複数回の撮像を継続する
ことを特徴とする請求項１に記載の撮像装置。
【請求項３】
前記制御手段は、
前記合成手段による複数回の撮像を行っている際に前記検出手段による検出に基づいてレンズの再装着があり、且つ、再装着されたレンズのイメージサークルが、再装着以前に装着されていたレンズのイメージサークルと異なる場合、再装着以前に装着されていたレンズと同じイメージサークルのレンズの装着を促すメッセージを所定の表示部に表示する表示手段を含む
ことを特徴とする請求項２に記載の撮像装置。
【請求項４】
レンズ交換可能な撮像手段を有する撮像装置であって、
前記撮像手段による複数回の撮像を行って得た複数の画像を合成し、合成画像を生成する合成手段と、
レンズの着脱を検出する検出手段と、
該検出手段による検出に応じて前記合成手段を制御する制御手段とを有し、
該制御手段は、
前記合成手段による複数回の撮像を行っている際に前記検出手段による検出に基づいてレンズの再装着があり、且つ、再装着されたレンズは画像補正が必要なレンズであった場合、前記撮像手段による前記合成画像を生成するための撮像を中断する
ことを特徴とする撮像装置。
【請求項５】
前記制御手段は、
前記合成手段による複数回の撮像を行っている際に前記検出手段による検出に基づいてレンズの再装着があり、且つ、再装着されたレンズは画像補正が必要なレンズであった場合、画像補正が不要なレンズが装着されるのを待ち、当該再装着により前記複数回の撮像を継続する
ことを特徴とする請求項４に記載の撮像装置。
【請求項６】
前記制御手段は、
前記合成手段による複数回の撮像を行っている際に前記検出手段による検出に基づいてレンズの再装着があり、且つ、再装着されたレンズは画像補正が必要なレンズであった場合、画像補正が不要なレンズの装着を促すメッセージを所定の表示部に表示する表示手段を含む
ことを特徴とする請求項５に記載の撮像装置。
【請求項７】
前記制御手段は、前記撮像手段による前記合成画像を生成するための撮像を中断した場合あって、且つ、前記中断よりも前に複数の画像を撮像している場合には、当該中断よりも前の複数の画像から生成される合成画像を記憶媒体に記録することを特徴とすることを特徴とする請求項１乃至６のいずれか１項に記載の撮像装置。
【請求項８】
前記合成手段による合成する画像の枚数を設定する設定手段を更に有することを特徴とする請求項１乃至７のいずれか１項に記載の撮像装置。
【請求項９】
撮像した画像を格納する記憶媒体から、前記合成手段で用いる最初の画像を指定する指定手段を更に有し、
前記指定手段で前記記憶媒体から画像が選択された場合、前記合成手段は、当該選択した画像を前記複数回の撮像における最初に撮像した画像として合成を行うことを特徴とする請求項１乃至８のいずれか１項に記載の撮像装置。
【請求項１０】
レンズ交換可能な撮像手段を有する撮像装置の制御方法であって、
前記撮像手段による複数回の撮像を行って得た複数の画像を合成し、合成画像を生成する合成工程と、
レンズの着脱を検出する検出工程と、
該検出工程による検出に応じて前記合成工程を制御する制御工程とを有し、
該制御工程は、
前記合成工程による複数回の撮像を行っている際に前記検出工程による検出に基づいてレンズの再装着があり、且つ、再装着されたレンズのイメージサークルが、再装着以前に装着されていたレンズのイメージサークルと異なる場合、前記撮像工程による前記合成画像を生成するための撮像を中断する
ことを特徴とする撮像装置の制御方法。
【請求項１１】
レンズ交換可能な撮像手段を有する撮像装置の制御方法であって、
前記撮像手段による複数回の撮像を行って得た複数の画像を合成し、合成画像を生成する合成工程と、
レンズの着脱を検出する検出工程と、
該検出工程による検出に応じて前記合成工程を制御する制御工程とを有し、
該制御工程は、
前記合成工程による複数回の撮像を行っている際に前記検出工程による検出に基づいてレンズの再装着があり、且つ、再装着されたレンズは画像補正が必要なレンズであった場合、前記撮像手段による前記合成画像を生成するための撮像を中断する
ことを特徴とする撮像装置の制御方法。
【請求項１２】
レンズ交換可能な撮像手段を有する撮像装置のプロセッサが読み込み実行することで、前記撮像装置を、請求項１０又は１１の方法の各工程を実行させるためのプログラム。
【発明の詳細な説明】
【技術分野】
【０００１】
本発明は撮像装置及びその制御方法に関するものである。
【背景技術】
【０００２】
複数回の撮影によって得られた画像を合成して１枚の合成画像として記録する、所謂、多重露出撮影を可能としたデジタルカメラが存在する。撮影前に合成枚数や加重平均・比較明合成・比較暗合成といった合成処理方法を選択可能なものや、既に撮影された画像をベース画像として選択し、このベース画像にこれから撮影する画像を合成して多重化した画像を生成できるものもある。
【先行技術文献】
【特許文献】
【０００３】
【特許文献１】特開２０１２−１９３４３号公報
【特許文献２】特開２００７−２２１２３７号公報
【発明の概要】
【発明が解決しようとする課題】
【０００４】
レンズ交換式カメラにおいては、多重露出撮影中にレンズの付け替えが可能である。多重露出撮影中にイメージサークルが異なるレンズや歪曲補正などの画像処理による光学補正が必須なレンズへ付け替えた場合、不自然な合成画像が生成されてしまうことが考えられる。
【０００５】
多重露出撮影中に設定を変更する技術として、特許文献１では、多重露出撮影可能なデジタルカメラにおいて、撮影途中で記録する画像のアスペクト比設定の変更を可能とする技術が開示されている。また、特許文献２では、多重露出撮影可能なデジタルカメラにおいて、撮影途中で記録画質や記録サイズといった設定の変更を可能とする技術が開示されている。
【０００６】
特許文献１、２に記載された撮像装置では、アスペクト比や記録画質、記録サイズといった撮像装置が出力する画像の設定に関して、撮影途中での変更を可能としている。しかしながら、レンズの交換、つまり、レンズのイメージサークルや歪曲収差量など撮像装置に入力される撮影画像そのものの質が変更されることは考慮されていない。
【０００７】
本発明はかかる点に鑑みなされたものであり、多重露出撮影中に、それまで装着していたレンズから、イメージサークルが異なるレンズ、又は、歪曲補正などの画像処理による光学補正が必須なレンズへ付け替えた場合の不自然な合成画像が生成されることを防止する技術を提供しようとするものである。
【課題を解決するための手段】
【０００８】
この課題を解決するため、例えば本発明の撮像装置は以下の構成を備える。すなわち、
レンズ交換可能な撮像手段を有する撮像装置であって、
前記撮像手段による複数回の撮像を行って得た複数の画像を合成し、合成画像を生成する合成手段と、
レンズの着脱を検出する検出手段と、
該検出手段による検出に応じて前記合成手段を制御する制御手段とを有し、
該制御手段は、
前記合成手段による複数回の撮像を行っている際に前記検出手段による検出に基づいてレンズの再装着があり、且つ、再装着されたレンズのイメージサークルが、再装着以前に装着されていたレンズのイメージサークルと異なる場合、前記撮像手段による前記合成画像を生成するための撮像を中断することを特徴とする。
【発明の効果】
【０００９】
本発明によれば、多重露出撮影中にイメージサークルが異なるレンズ、又は、歪曲補正などの画像処理による光学補正が必須なレンズへ付け替えた場合に、不自然な合成画像が生成されることを防止することができる。
【図面の簡単な説明】
【００１０】
【図１】実施形態に係る撮像装置のブロック構成図。
【図２】多重露出撮影に関する設定メニュー画面の一例を示す図。
【図３】多重露出撮影において撮影される画像の一例を示す図。
【図４】第１の実施形態における撮像装置の動作を示すフローチャート。
【図５】レンズによるイメージサークルの違いを示す図。
【図６】第１の実施形態における警告メッセージの一例を示す図。
【図７】第２の実施形態における撮像装置の動作を示すフローチャート。
【図８】第２の実施形態における警告メッセージの一例を示す図。
【図９】第３の実施形態における撮像装置の動作を示すフローチャート。
【図１０】第４の実施形態における撮像装置の動作を示すフローチャート。
【発明を実施するための形態】
【００１１】
以下、添付図面に従って本発明に係る実施形態を詳細に説明する。なお、以下に示す実施形態における構成は一例に過ぎず、本発明は図示された構成に限定されるものではない。
【００１２】
図１は、実施形態におけるレンズ交換可能なデジタルカメラに代表される撮像装置のブロック構成図である。実施形態における撮像装置は、撮像装置本体１００と、撮像装置本体１００に対して脱着可能なレンズユニット１８０で構成される。
【００１３】
撮像装置本体１００において、シャッター１２０は後述する撮像部１２２の露出量を制御する。撮像部１２２は光学像を電気信号に変換するＣＣＤやＣＭＯＳ素子等で構成される撮像素子を有する。この撮像素子の表面には、Ｒ，Ｇ，Ｂの各色成分のフィルタがベイヤ配列状に配置されている。それ故、撮像部１２２で得た直後の画像データのベイヤ配列の画素データで構成されることになる。また撮像部１２２はＡ／Ｄ変換処理機能を備えている。ＡＦ評価値検出部１２３ではデジタル画像信号から得られるコントラスト情報や視差画像から得られる位相差からＡＦ評価値を算出し、得られたＡＦ評価値を撮像部１２２からシステム制御部１５０に出力する。なお、本実施形態における撮像素子は、いわゆるフルサイズのセンサーであるものとする。
【００１４】
画像処理部１２４は、撮像部１２２から出力される画像データ、又は、メモリ制御部１５からの画像データに対し所定の画素補間、縮小といったリサイズ処理や色変換処理を行う。また、画像処理部１２４は被写体と撮像装置との距離情報を取得することができる。具体的には、画像処理装部１２４は、与えられた２つの視差画像から位相差を検出することで被写体までの距離を取得し、撮像装置から被写体までの距離情報を画素ごとに取得する。さらに、画像処理部１２４は、撮像した画像データを用いて所定の演算処理が行い、システム制御部１５０はその演算結果基づき露光制御、測距制御を行う。これにより、ＴＴＬ（スルー・ザ・レンズ）方式のＡＥ（自動露出）処理、ＥＦ（フラッシュ自動調光発光）処理が行われる。また画像処理部１２４はＡＦ（オートフォーカス）処理が行われるが、このとき撮像部１２２に備えるＡＦ評価値検出部１２３の出力が用いられることもある。画像処理部１２４は更に、撮像した画像データを用いて所定の演算処理を行い、得られた演算結果に基づいてＴＴＬ方式のＡＷＢ（オートホワイトバランス）処理も行っている。また、画像処理部１２４は、複数枚の画像を合成する処理を行い、多重画像の生成も行う。更に画像処理部１２４は、ベイヤ配列のＲＡＷ画像データをデベイヤ処理して１画素３成分の画像データへの変換、符号化、復号処理も行う。
【００１５】
撮像部１２２の出力データは、画像処理部１２４及びメモリ制御部１１５を介して、或いは、メモリ制御部１１５を介してメモリ１３２に直接書き込まれる。メモリ１３２は、撮像部１２２によって取得およびＡ／Ｄ変換された画像データや、表示部１２８に表示するための画像データを格納する。メモリ１３２は、所定枚数の静止画像や所定時間の動画像および音声を格納するのに十分な記憶容量を備えている。また、メモリ１３２は画像表示用のメモリ（ビデオメモリ）を兼ねている。Ｄ／Ａ変換器１１３は、メモリ１３２に格納されている画像表示用のデータをアナログ信号に変換して表示部１２８に供給する。こうして、メモリ１３２に書き込まれた表示用の画像データはＤ／Ａ変換器１１３を介して表示部１２８により表示される。表示部１２８は、ＬＣＤ等の表示器上に、Ｄ／Ａ変換器１１３からのアナログ信号に応じた表示を行う。撮像部１２２で一度Ａ／Ｄ変換されメモリ３２に蓄積されたデジタル信号をＤ／Ａ変換器１１３においてアナログ変換し、表示部１２８に逐次転送して表示することで、電子ビューファインダとして機能し、スルー画像表示を行える。
【００１６】
不揮発性メモリ１５６は、電気的に消去・記録可能なメモリであり、例えばフラッシュメモリ等が用いられる。不揮発性メモリ１５６には、システム制御部１５０の動作用の定数、プログラム等が記憶される。ここでいう、プログラムとは、本実施形態にて後述する各種フローチャートを実行するためのプログラムのことである。また、不揮発性メモリ１５６には、撮像装置本体１００に接続可能なレンズユニットのモデル名と、そのレンズユニットの特定情報を対にしたレンズテーブル１５６ａが格納されている。レンズユニットの特性情報にはイメージサークルのサイズが含まれる。
【００１７】
システム制御部１５０は、前述した不揮発性メモリ１５６に記録されたプログラムを実行することで、撮像装置本体１００の各処理部を統括的に制御する。１５２はシステムメモリであり、ＲＡＭが用いられる。システムメモリ１５２には、システム制御部１５０の動作用の定数、変数、不揮発性メモリ１５６から読み出したプログラム等が展開される。
【００１８】
システムタイマー１５３は各種制御に用いる時間や、内蔵された時計の時間を計測する計時部である。モード切替スイッチ１６０、シャッターボタン１６１に収容された第１シャッタースイッチ１６２及び第２シャッタースイッチ１６３、操作部１７０はシステム制御部１５０に各種の動作指示を入力するための操作手段として機能する。モード切替スイッチ１６０は、システム制御部１５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード、多重露出撮影モード等がある。モード切り替えスイッチ１６０で、静止画撮影モードに含まれるこれらのモードのいずれかに直接切り替えられる。あるいは、モード切り替えスイッチ１６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００１９】
第１シャッタースイッチ１６２は、撮像装置本体１００に設けられたシャッターボタン１６１の操作途中、いわゆる半押し（撮影準備指示）でＯＮとなって、第１シャッタースイッチ信号ＳＷ１を発生する。システム制御部１５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュ自動調光発光）処理等の動作を開始する。
【００２０】
第２シャッタースイッチ１６３は、シャッターボタン１６１の操作完了、いわゆる全押し（撮影指示）でＯＮとなって、第２シャッタースイッチ信号ＳＷ２を発生する。システム制御部１５０は、第２シャッタースイッチ信号ＳＷ２により、撮像部１２２からの信号読み出しから記録媒体１９０に画像データを書き込むまでの一連の撮影処理の動作を開始する。
【００２１】
操作部１７０の各操作部材は、表示部１２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１２８に表示される。ユーザは、表示部１２８に表示されたメニュー画面と、上下左右の４方向ボタンやＳＥＴボタンとを用いて直感的に各種設定を行うことができる。各種の設定可能なメニュー画面としては、多重露出撮影モードを選択した際に、記録媒体１９０に記録されている過去に撮影した画像をベース画像として選択するための画面があり、選択したベース画像に撮影した画像を合成する多重露出撮影も可能である。さらに、撮影する画像の読み出しサイズをＡＰＳ−Ｃセンサーサイズにクロップするかどうかを選択する画面もあり、クロップする設定にした場合、フルサイズセンサー用のレンズを装着している場合にも、ＡＰＳ−Ｃセンサーサイズで撮影できる。このクロップ処理については図５を用いて後述する。
【００２２】
電源制御部１４１は、電池検出回路、ＤＣ−ＤＣコンバータ、通電するブロックを切り替えるスイッチ回路等により構成され、電池の装着の有無、電池の種類、電池残量の検出を行う。また、電源制御部１４１は、その検出結果及びシステム制御部１５０の指示に基づいてＤＣ−ＤＣコンバータを制御し、必要な電圧を必要な期間、記録媒体１９０を含む各部へ供給する。
【００２３】
電源部１４０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１１８は、メモリカードやハードディスク等の記録媒体１９０とのインターフェースである。記録媒体１９０は、撮影された画像を記録するためのメモリカード等の記録媒体であり、半導体メモリや磁気ディスク等から構成される。
【００２４】
コネクタ１７１は、撮像装置本体１００をレンズユニット１８０と電気的に接続する。コネクタ１７１は、撮像装置本体１００とレンズユニット１８０との間で制御信号、状態信号、データ信号などを伝え合うとともに、各種電圧の電流を供給する機能も備えている。また、コネクタ１７１にレンズユニット１８０が装着されているか否かは、レンズ着脱検知部１５４により検知される。
【００２５】
次に、レンズユニット１８０の構成について説明する。撮像レンズ１８１は、光軸方向に移動することでピントの調整を行うフォーカスレンズやズーミングを行うズームレンズを含む複数のレンズにより構成される。また、絞り１８２は撮像装置本体１００の撮像部１２２への光量を調節する。レンズ制御部１８３は撮像装置本体１００のシステム制御回路１５０からの制御信号に応じて、レンズユニット１８０全体を制御し、撮像レンズ１８１のフォーカスレンズやズームレンズおよび絞り１８２の駆動制御も行う。また、レンズ制御部１８３は、動作用の定数や変数およびプログラムなどを記憶するメモリを備える。さらに、レンズ制御部１８３は、レンズユニット１８０固有のモデル名や製造番号などの識別情報、管理情報、開放絞り値や最小絞り値、焦点距離、歪曲収差等の収差量などの機能情報、現在や過去の各設定値などを保持する不揮発性メモリも備えている。コネクタ１８４は、レンズユニット１８０を撮像装置本体１００と電気的に接続する。コネクタ１８４は、撮像装置本体１００とレンズユニット１８０との間で制御信号、状態信号、データ信号などを伝え合うとともに、各種電圧の電流を供給される機能も備えている。
【００２６】
次に図２、図３を用いて多重露出撮影の基本的な動作を説明する。図２は、多重露出撮影に関する設定メニュー画面であり、図３は、多重露出撮影において撮影される画像を示している。
【００２７】
ユーザが操作部１７０のメニューボタンを押下すると各種設定に関するメニュー画面が表示される。ユーザは、操作部１７０の上下左右ボタンを操作して、多重露出撮影に関する設定の項目を選択すると、表示部１２８には図２に示す多重露出撮影のサブメニュー画面２００が表示され、多重露出撮影に関する設定を変更することができる。
【００２８】
多重露出撮影メニュー画面２００は、設定項目２０１〜２０４と、基準画像の選択を行うボタン２０５を含む。このうち、設定項目２０１は、多重露出撮影を行うか否かを選択する設定項目であり、「する」・「しない」からいずれかを選択する。「する」を選択した上で、メニューを抜け撮影に復帰すると多重露出撮影モードとなる。
【００２９】
設定項目２０２は、多重露出撮影時の露出の重ね合わせ方を選択する設定項目であり、ユーザは、「加算」・「加算平均」・「比較（明）」・「比較（暗）」から、いずれか１つを選択できる。「加算」では、合成する複数の画像の輝度を単純に加算する。「加算平均」では、合成する複数の画像の輝度を、後述する重ねる枚数分の平均となるように加算する。「比較（明）」では、合成する画像の輝度を比較して明るい部分を残し、逆に「比較（暗）」では、暗い部分を残すように重ね合わせる。
【００３０】
設定項目２０３は、多重露出撮影において合成する画像の枚数を選択する設定項目であり、ユーザは重ね合わせる枚数を指定できる。多重露出撮影モードでは、設定した枚数撮影し合成画像が記録されたら多重撮影モードから、通常のスナップモードに復帰する。
【００３１】
設定項目２０４は、多重露出撮影において記録媒体１９０に記録する画像を選択する設定項目であり、ユーザは「全画像」・「多重画像のみ」のいずれかを選択できる。「全画像」が選択されや場合、重ね合わせる元となった複数の画像と、多重露出合成画像の両方が記録媒体１９０に記録される。「多重画像のみ」が選択された場合、多重露出合成画像のみが記録媒体１９０に記録され、多重画像の元になった個々の撮像画像は記録されない。
【００３２】
ユーザがボタン２０５を押下した場合、記録媒体１９０に既に格納された画像ファイルを１つ選択し、多重露出合成画像を生成し、記録することになる。なお、ユーザが、設定項目２０３に“５”を設定し、ユーザがボタン２０５を押下して既に記録された１つの画像ファイル（ＲＡＷ画像ファイル）を選択した場合、選択した画像ファイルが表す画像を最初の画像（１枚目の画像）とし、残り４枚を、これ以降に撮像される画像として、多重露出画像が生成されることになる。
【００３３】
なお、選択する画像ファイルの個数を２以上できるようにしても構わない。この場合、例えば２つ選択した場合には、その選択した２つのファイルが示す２つの画像と、これから撮像される３枚の画像とから、多重露出画像が生成すれば良い。
【００３４】
図３（ａ）の参照符号６０１は多重露出撮影モードでの１枚目の撮影画像、同図（ｂ）の参照符号６０２は２枚目の撮影画像である。そして、同図（ｃ）の参照符号６０３が２枚目の撮影が終わった時点での多重露出合成画像である。
【００３５】
［第１の実施形態］
図４は、第１の実施形態におけるシステム制御部１５０の多重露出モードにおける処理手順を示すフローチャートである。ユーザがモード切替スイッチ１６０で多重露出撮影モードを選択した場合やメニュー設定により多重露出撮影を選択した場合に、撮像装置本体１００は多重露出撮影モードに入り、図４の処理が実行される。図４の各ステップの処理は、システム制御部１５０が、不揮発性メモリ１５６から読み出した所定のプログラムをシステムメモリ１５２上に展開し、撮像装置本体１００を構成する各部の動作や処理を制御することによって実現される。なお、多重露出に関する、ユーザによる各種設定（合成する画像の枚数や合成画像ファイルの指定等）は既に行われ、設定された情報がシステムメモリ１５２に格納されているものとする。なお、特に変更しない限り、前回の多重露出撮影時の合成枚数を今回の合成枚数とするようにしても構わない。この場合、合成枚数は不揮発性メモリ１５６に保持するようにすれば良い。
【００３６】
Ｓ４０１にて、システム制御部１５０は、多重露出撮影モードの設定情報の１つである多重合成枚数Ｎをシステムメモリ１５２や不揮発性メモリ１５６から取得する。続いて、Ｓ４０２にて、システム制御部１５０は、システムメモリ１５２や不揮発性メモリ１５６に格納された情報に基づき、既に撮影された画像の中から１枚目の画像としてベース画像を選択して多重露出撮影を開始するベース画像選択がなされているか否かを判定する。システム制御部１５０は、ベース画像選択がなされていないと判定した場合（Ｓ４０２でＮＯ）、処理をＳ４０３に進め、撮影枚数をカウントする変数ｎに初期値“０”を代入する。一方、ベース画像選択がなされていた場合（Ｓ４０２でＹＥＳ）、システム制御部１５０は、処理をＳ４０４に進め、変数ｎに初期値“１”を代入する。
【００３７】
Ｓ４０５にて、システム制御部１５０は、レンズ着脱検知部１５４からの信号に基づき、レンズユニットの再装着があったか否かを判定する。レンズユニットの再装着は、例えば装着していたレンズを一度取り外してまた装着する場合や、装着していたレンズとは異なるレンズに交換する場合が含まれる。
【００３８】
システム制御部１５０は、レンズユニットが再装着されたと判定された場合（Ｓ４０５でＹＥＳ）、処理をＳ４０６へ進め、レンズが再装着されていないと判定された場合（Ｓ４０５でＮＯ）、処理をＳ４０９へ進める。
【００３９】
Ｓ４０６にて、システム制御部１５０は、変数ｎが“０”か否か、つまり、ベース画像の選択がされていない、或いは、さらに多重露出撮影モードに入って１枚も撮影をしていないか否かを判定する。換言すれば、システム制御部１５０は、多重合成元の画像が存在しないか否かを判定する。システム制御部１５０は、変数ｎが“０”であると判定した場合（Ｓ４０６でＹＥＳ）、処理をＳ４０９へ進める。また、変数ｎが“０”以外である場合（Ｓ４０６でＮＯ）、システム制御部１５０は処理をＳ４０７へ進める。
【００４０】
Ｓ４０７にて、システム制御部１５０は、新たに装着されたレンズユニットのイメージサークルがそれまで装着されていたレンズユニットのイメージサークルと異なるか否かを判定する。
【００４１】
具体的には、システム制御部１５０は、コネクタ８０を通して、装着中のレンズユニット１８０と通信し、モデル名等の識別情報を取得できる。そして、システム制御部１５０は、取得した識別情報を用いて、不揮発性メモリ１５６内のレンズテーブル１５６ａを検索することで、装着中のレンズユニットのイメージサークルを取得できる。よって、システム制御部１５０は、レンズユニット再装着以前のレンズユニットのイメージサークル（不揮発性メモリ１５６の所定アドレスに格納しているものとする）と、再装着後の点図ユニットのイメージサークルとを比較することで、Ｓ４０７の判定処理を行う。
【００４２】
なお、Ｓ４０７の判定処理を、装着されたレンズユニットに応じて、撮像部１２２から読み出し記録する画像のサイズを切り替える必要があるか否かで判定するようにしても良い。さらに、撮像部１２２から読み出した画像を、画像処理部１２４や、システム制御部１５０で走査することにより、画像の周辺部のケラレの量を検出し、前回のケラレの量と異なるか否かで判定するようにしてもよい。
【００４３】
ここで図５（ａ），（ｂ）を参照してイメージサークルの違いを説明する。図５（ａ），（ｂ）の参照符号５０１、５０２は、撮像部１２２の撮像素子にレンズユニットを通った光が結像した様子である。参照符号５０１は、フルサイズセンサー用のレンズユニットが装着されているとき、参照符号５０２は、ＡＰＳ−Ｃサイズセンサー用のレンズユニットが装着されているときの様子である。前述したように、本実施形態における撮像素子はフルサイズセンサーである。しかし、ＡＰＳ−Ｃサイズセンサー用のレンズユニットが装着されているときは、撮像素子の周辺部分に光が当たらず、画像の周辺に「ケラレ」が発生する。そこで、ＡＰＳ−Ｃサイズセンサー用のレンズユニットが装着されている場合、システム制御部１５０は撮像部１２２を制御して、撮像素子内の、図示の参照符号５０３が示す領域の画像を、撮像画像として切り出すクロップ処理を行う。このようにクロップ処理を行うことで、サイズは小さくなるものの、ケラレの部分を除いた１枚の画像を得ることができる。
【００４４】
一方で多重露出撮影の場合は、図３のように画像が合成されるため、多重露出撮影の途中でイメージサークルの異なるレンズユニットが装着された場合、そのまま合成しようとすると、ケラレの部分も合成されることになり不自然な合成画像となってしまう。また、画像の読み出しサイズをＡＰＳ−Ｃセンサーサイズにクロップして、光が当たる部分のみを切り出して読み出した場合には、画像のサイズが異なることになり合成できない。
【００４５】
そこで、本実施形態では、システム制御部１５０は、再装着されたレンズユニットのイメージサークルがそれまで装着されていたレンズユニットのイメージサークルと同じと判定した場合（Ｓ４０７でＮＯ）、処理をＳ４０９へ進める。また、システム制御部１５０は、再装着されたレンズユニットのイメージサークルがそれまで装着されていたレンズユニットのイメージサークルと異なると判定した場合（Ｓ４０７でＹＥＳ）、それ以降の撮像処理を中断するため、処理をＳ４０８へ進める。
【００４６】
Ｓ４０８において、システム制御部１５０は、多重露出撮影を終了する旨のメッセージ（図６）を表示部２８に表示する。そして、システム制御部１５０は、それまでの撮影で得られた合成画像を、画像ファイルとして記録媒体１９０に記録するために、処理をＳ４１５に進める。
【００４７】
Ｓ４０９にて、システム制御部１５０は、第２シャッタースイッチ１６３がオンになったか否か（第２シャッタースイッチ信号ＳＷ２が発生したか否か）を判定する。システム制御部１５０は、第２シャッタースイッチ１６３がオンになっていないと判定した場合（Ｓ４０９でＮＯ）、処理をＳ４０５へ戻し、第２シャッタースイッチ１６３がオンになるのを待つ。そして、システム制御部１５０は第２シャッタースイッチ１６３がオンになったと判定した場合、処理をＳ４１０へ進める。
【００４８】
Ｓ４１０にて、システム制御部１５０は、撮像部１２２により静止画フレームのキャプチャを行い、得られた画像データ（ベイヤ配列のＲＡＷ画像データ）をメモリ１３２に記憶し、処理をＳ４１１へ進める。Ｓ４１１にて、システム制御部１５０は、変数ｎの値を“１”増加させ、処理をＳ４１２へ進める。
【００４９】
Ｓ４１２にて、システム制御部１５０は、変数ｎの値が“１”より大きいか否かを判定する。つまり、システム制御部１５０は、合成処理の対象画像が既に存在するか否かを判定する。システム制御部１５０は、変数ｎが“１”以下であると判定した場合（Ｓ４１２でＮＯ）、処理をＳ４０５へ戻す。また、システム制御部１５０は、変数ｎが“１”より大きいと判定した場合（Ｓ４１２でＹＥＳ）、処理をＳ４１３へ進める。
【００５０】
Ｓ４１３にて、システム制御部１５０は、画像処理部２４を制御して、Ｓ４１０でキャプチャされメモリ１３２に記憶された画像データ同士を合成し、合成画像データを生成し、メモリ１３２に記憶する。変数ｎが“２”より大きい場合、つまりＳ４１０でキャプチャして得た画像が３枚目以降の場合には、システム制御部１５０は、そのキャプチャした画像データを、それ以前の合成処理で得た合成画像データに合成し、新たな合成画像データを生成し、メモリ１３２に記憶させる。Ｓ４１３の処理を終えたら、システム制御部１５０は、処理をＳ４１４へ進める。なお、このＳ４１３の合成処理では、ベイヤ配列の画像データのままで合成処理が行われる。
【００５１】
Ｓ４１４にて、システム制御部１５０は、変数ｎが“Ｎ”と等しいか否か、つまり、多重露出撮影終了か否かを判定する。システム制御部１５０は、変数ｎが“Ｎ”と等しくない（Ｓ４１４でＮＯ）、処理をＳ４０５へ戻す。また、システム制御部１５０は、変数ｎが“Ｎ”と等しいと判定した場合、処理をＳ４１５へ進める。
【００５２】
Ｓ４１５にて、システム制御部１５０は、画像処理部１２４を制御し、Ｓ４１３で生成した合成画像データに対して、現像処理（デベイヤ処理を含む）、すなわちホワイトバランス調整、画素補間等の処理を施し、ＹＵＶデータに変換し、メモリ１３２に書き込む。システム制御部１５０は、Ｓ４１５の処理を終えると、処理をＳ４１６へ進める。
【００５３】
Ｓ４１６にて、システム制御部１５０は、画像処理部２４を制御し、Ｓ４１５で生成した現像後の合成画像データをＪＰＥＧ形式の静止画像データに圧縮符号化させ、メモリ１３２に書き込み、処理をＳ４１７へ進める。
【００５４】
Ｓ４１７にて、システム制御部１５０は、Ｓ４１６で圧縮符号化されたＪＰＥＧ形式の静止画像データを、記録媒体Ｉ／Ｆ１１８を介して、記録媒体１９０に記録し、一連の多重露出撮影を終了する。なお、図２の設定項目にて、「撮影画像の保存」が選択された場合、メモリ１３２に格納された合成に利用された各撮像画像（Ｓ４１０で得た画像）も、記憶媒体１９０に記録されることになる。
【００５５】
以上のように、多重露出撮影中に新たにレンズユニットの再装着が検出され、その再装着されたレンズユニットのイメージサークルがそれまで装着されていたレンズユニットのイメージサークルと異なっていた場合、メッセージを表示し多重露出撮影を終了するようにした。このようにすることで、多重露出撮影中にそれまで装着されていたレンズユニットとイメージサークルの異なるレンズユニットを装着した場合に不正な多重画像が合成されるのを防ぐことができる。例えば、フルサイズセンサー用のレンズユニットを装着して多重露出撮影を開始した場合に、途中でＡＰＳ−Ｃサイズセンサー用のレンズユニットに付け替えた場合に不正な多重画像が合成されるのを防ぐことができる。また、当初設定したＮ枚の画像の合成とはならないものの、途中までの撮影で得た画像を用いた合成画像が記憶媒体１９０に記憶することもできる。
【００５６】
［第２の実施形態］
次に第２の実施形態に係る撮像装置の処理について説明する。本第２の実施形態に係る撮像装置の構成自体は、第１の実施形態（図１）と同じであるものとし、その詳細な説明については省略する。
【００５７】
第１の実施形態では、多重露出撮影中にレンズユニットが再装着され、且つ、そのレンズユニットのイメージサークルがそれまで装着されていたレンズユニットのイメージサークルと異なっていた場合、メッセージを表示し多重露出撮影を終了した。これに対して、本第２の実施形態では、多重露出撮影中にそれまで装着されていたレンズユニットとイメージサークルの異なるレンズユニットが装着された場合、警告メッセージを表示し、再度イメージサークルの同じレンズユニットを装着し直せば撮影を継続できるようにした。これにより、それまで装着されていたレンズユニットとイメージサークルの異なるレンズユニットを装着した場合に不正な多重画像が合成されるのを防ぐとともに、誤って装着した場合には、撮影を終了せず、正しいレンズユニットを装着し直して一連の多重露出撮影を継続することができる。
【００５８】
図７は、第２の実施形態におけるシステム制御部１５０の多重露出モードにおける処理手順を示すフローチャートである。なお、多重露出に関する、ユーザによる各種設定（合成する画像の枚数や合成画像ファイルの指定等）は既に行われ、設定された情報がシステムメモリ１５２や不揮発性メモリ１５６に保持されているものとする。
【００５９】
図７におけるＳ７０１〜Ｓ７０７，Ｓ７０９〜Ｓ７１７の処理は、図４のＳ４０１〜Ｓ４０７、Ｓ４０９〜Ｓ４１７と同じであるので、その説明を省略する。図７が図４と異なる点は、Ｓ７０７がＮｏと判定された以降（図４におけるＳ４０７がＮｏと判定された以降に相当）のＳ７２１〜Ｓ７２６の処理にある。
【００６０】
Ｓ７２１にて、システム制御部１５０は、イメージサークルの異なるレンズユニットが装着されたためレンズユニットを再度付け替えることを促す旨のメッセージ（図８）を表示部１２８に表示する。また、システム制御部１５０は、それまでの撮影で得られた合成画像を記録して多重露出撮影を終了するか否か、合成画像を破棄して多重露出撮影を終了するか否かを選択可能なメニューを表示部１２８に表示し、処理をＳ７２２に進める。
【００６１】
Ｓ７２２にて、システム制御部１５０は、Ｓ７２１で表示したメニューにより、ユーザが多重露出撮影を終了することを選択したか否かを判定する。システム制御部１５０は、ユーザが多重露出撮影の終了を選択していないと判定した場合（Ｓ７２２でＮＯ）、処理をＳ７２４へ進め、ユーザが多重露出撮影の終了を選択したと判定された場合（Ｓ７２２でＹＥＳ）、処理をＳ７２３へ進める。
【００６２】
Ｓ７２３にて、システム制御部１５０は、Ｓ７２１で表示したメニューにより、ユーザがそれまでの撮影で得られた合成画像を記録することを選択したか否かを判定する。システム制御部１５０は、ユーザが合成画像を記録することを選択していないと判定された場合（Ｓ７２３でＮＯ）、一連の多重露出撮影を終了する。また、システム制御部１５０は、ユーザが合成画像を記録することを選択したと判定した場合（Ｓ７２３でＹＥＳ）、処理をＳ７１５へ進める。
【００６３】
Ｓ７２４にて、システム制御部１５０は、レンズ着脱検知部１５４によりレンズユニットが再装着されたか否かを判定する。システム制御部１５０は、レンズユニットが装着されたと判定された場合（Ｓ７２４でＹＥＳ）、処理をＳ７２５へ進め、レンズユニットが再装着されていないと判定された場合（Ｓ７２４でＮＯ）、再装着を待つために処理をＳ７２１へ戻す。
【００６４】
Ｓ７２５にて、システム制御部１５０は、再度装着されたレンズユニットのイメージサークルが、直前の撮影で用いたレンズユニットのイメージサークルと異なるか否かを判定する。システム制御部１５０は、再度装着されたレンズユニットのイメージサークルが直前の撮影で用いたレンズユニットのイメージサークルと同じと判定された場合（Ｓ７２５でＹＥＳ）、処理をＳ７２６に進める。システム制御部１５０は、再度装着されたレンズユニットのイメージサークルが、直前の撮影で用いたレンズユニットのイメージサークルと異なると判定した場合（Ｓ７２５でＮＯ）、処理をＳ７２１へ戻す。
【００６５】
Ｓ７２６にて、システム制御部１５０は、Ｓ７２１で表示した警告メッセージを非表示にし、処理をＳ７０５に戻し、一連の多重露出撮影を継続する。
【００６６】
Ｓ７０９〜Ｓ７１７まで一連の多重露出撮影処理は、第１の実施形態におけるＳ４０９〜４１７と同一のため、その説明は省略する。
【００６７】
以上の説明のように、本第２の実施形態によれば、多重露出撮影中にそれまで装着されていたレンズユニットとイメージサークルの異なるレンズユニットが装着された場合、警告メッセージを表示し、ユーザの選択に応じて一連の多重露出撮影を終了できるようにした。また、ユーザが一連の多重露出撮影の終了を選択せず、再度イメージサークルの同じレンズユニットを装着し直した場合には、一連の多重露出撮影を継続できるようにした。これにより、それまで装着されていたレンズユニットとイメージサークルの異なるレンズユニットを装着した場合に不正な多重画像が合成されるのを防ぐとともに、誤って装着した場合には、撮影を終了せず、別のレンズユニットを装着し直して一連の多重露出撮影を継続することができる。例えば、フルサイズセンサー用のレンズユニットを装着して多重露出撮影を開始した場合に、途中でＡＰＳ−Ｃサイズセンサー用のレンズユニットに付け替えた場合に不正な多重画像が合成されるのを防ぐことができる。さらに、再度フルサイズセンサー用のレンズユニットを装着し直した場合には、一連の多重露出撮影を継続可能にできる。
【００６８】
［第３の実施形態］
次に第３の実施形態に係る撮像装置の処理について説明する。本第３の実施形態に係る撮像装置の構成自体は、第１の実施形態（図１）と同じであるものとし、その詳細な説明については省略する。
【００６９】
第１の実施形態では、多重露出撮影中に新たにレンズユニットが装着されたときに、装着されたレンズユニットのイメージサークルがそれまで装着されていたレンズユニットのイメージサークルと異なっていた場合、メッセージを表示し多重露出撮影を終了するようにした。
【００７０】
同様に、本第３の実施形態では、多重露出撮影中に新たにレンズユニットが装着され、その新たに装着されたレンズユニットでは歪曲補正などの画像補正設定が有効となる場合、つまり画像補正が必須となるレンズユニットが装着された場合、メッセージを表示し多重露出撮影を終了するようにした。こうすることにより、多重露出撮影中に画像補正が必須となるレンズユニットが装着された場合に、画像補正の不要な画像と画像補正の必要な画像を合成してしまい、不自然な多重画像が生成されるのを防ぐことができる。
【００７１】
図９は、本第３の実施形態におけるシステム制御部１５０の多重露出モードにおける処理手順を示すフローチャートである。なお、多重露出に関する、ユーザによる各種設定（合成する画像の枚数や合成画像ファイルの指定等）は既に行われ、設定された情報がシステムメモリ１５２や不揮発性メモリ１５６に保持されているものとする。また、多重露出モードが開始されると、歪曲補正などの画像補正の設定は無効に固定された上で多重露出撮影モードを開始するものとする。
【００７２】
図９におけるＳ９０１〜Ｓ９０５、Ｓ９０９〜Ｓ９１７は、図４のＳ４０１〜Ｓ４０５，Ｓ４０９〜Ｓ４１７と同じであるため、それらの説明は省略する。図９が図４と異なる点は、Ｓ９０５がＮｏと判定された以降（図４におけるＳ４０５がＮｏと判定された以降に相当）のＳ９２１〜Ｓ９２３の処理にある。
【００７３】
Ｓ９２１にて、システム制御部１５０は、新たに装着されたレンズユニットにおいて、画像補正設定を有効にする必要があるか否か、つまり、画像補正が必須となるレンズユニットが装着されたか否かを判定する。画像補正設定を有効固定にする必要があるか否かの判定は、レンズテーブル１５６ａに、補正の要否を示す情報を、レンズ識別情報（モデル名）と対応づけて記憶しておけば良い。システム制御部１５０は、コネクタ１７１を介して装着されたレンズユニットから識別情報を受信し、レンズテーブル１５６ａから、該当するレンズユニットの補正の要否に係る情報を取得し、判定すればよい。また、場合によっては、システム制御部１５０は、コネクタ１７１を通してレンズユニット１８０から取得したレンズユニット１８０の歪曲収差等に対する補正機能情報を用いて判定するようにしてもよい。さらに、撮像部１２２から読み出した画像を画像処理部１２４や、システム制御部１５０で走査することにより、画像の収差量を検出し、判定するようにしてもよい。
【００７４】
システム制御部１５０は、新たに装着されたレンズユニットにおいて画像補正設定を有効固定とする必要がないと判定された場合（Ｓ９２１でＮＯ）、処理をＳ９０９へ進める。システム制御部１５０は、新たに装着されたレンズユニットにおいて画像補正設定を有効とする必要があると判定した場合（Ｓ９２１でＹＥＳ）、処理をＳ９２２へ進める。
【００７５】
Ｓ９２２にて、システム制御部１５０は、多重露出撮影を終了する旨のメッセージを表示部１２８に表示し、処理をＳ９２３に進める。Ｓ９２３にて、システム制御部１５０は、係数ｎの値が“１”より大きいか否か、つまり、多重露出のために少なくとも２枚の画像を撮影したか否かを判定する。システム制御部１５０は、変数ｎが“１”より大きい場合（Ｓ９２３でＹＥＳ）、処理をＳ９１５に進める。システム制御部１５０は、変数ｎが“１”以下であると判定した場合（Ｓ９２３でＮｏ）、処理を一連の多重露出撮影を終了する。
【００７６】
Ｓ９０９の静止画撮影からＳ９１７までの一連の多重露出撮影を終了するまでは、第１の実施形態におけるＳ４０９からＳ４１７と同一のため、説明を省略する。
【００７７】
以上の説明のように本第３の実施形態によれば、多重露出撮影中に新たにレンズユニットが装着されたときに、装着されたレンズユニットでは歪曲補正などの画像補正設定が有効固定となる場合、つまり画像補正が必須となるレンズユニットが装着された場合、メッセージを表示し多重露出撮影を終了する。このようにすることで、画像補正設定を無効固定とする多重露出撮影中に、画像補正が必須となるレンズユニットが装着された場合に不正な多重画像が合成されるのを防ぐことができる。例えば、多重露出撮影中に、安価な代わりに歪曲収差が大きく画像補正設定が有効に固定されるようなレンズユニットに付け替えた場合に不正な多重画像が合成されるのを防ぐことができる。
【００７８】
［第４の実施形態］
次に第４の実施形態に係る撮像装置の処理について説明する。本第４の実施形態に係る撮像装置の構成自体は、第１の実施形態（図１）と同じであるものとし、その詳細な説明については省略する。
【００７９】
第４の実施形態では、多重露出撮影中に新たに装着されたレンズユニットでは歪曲補正などの画像補正設定を有効とする必要がある場合、つまり画像補正が必須となるレンズユニットが装着された場合、メッセージを表示し多重露出撮影を終了するようにした。これに対して、本第４の実施形態では、多重露出撮影中に画像補正が必須となるレンズユニットが装着された場合、警告メッセージを表示し、再度画像補正が必須ではないレンズユニットを装着し直せば撮影を継続できるようにした。これにより、画像補正設定を無効とする多重露出撮影中に、画像補正が必須となるレンズユニットが装着された場合に不自然な多重画像が合成されるのを防ぐことができる。さらに、誤って装着した場合には、撮影を終了せず、再度レンズユニットを装着し直して一連の多重露出撮影を継続することも可能である。
【００８０】
図１０は、本第４の実施形態におけるシステム制御部１５０の多重露出モードにおける処理手順を示すフローチャートである。なお、多重露出に関する、ユーザによる各種設定（合成する画像の枚数や合成画像ファイルの指定等）は既に行われ、設定された情報がシステムメモリ１５２や不揮発性メモリ１５６に保持されているものとする。また、多重露出モードが開始されると、歪曲補正などの画像補正の設定は無効に固定された上で多重露出撮影モードを開始するものとする。
【００８１】
Ｓ１００１〜Ｓ１００５、Ｓ１００９〜Ｓ１０１７の処理は、第１の実施形態におけるＳ４０１〜Ｓ４０５、Ｓ４０９〜Ｓ４１７と同一のため、説明を省略する。
【００８２】
Ｓ１０２１にて、システム制御部１５０は、画像補正が必須となるレンズユニットが装着されたか否かを判定する。システム制御部１５０は、画像補正が不要のレンズユニットが装着されたと判定した場合（Ｓ１０２１でＮｏ）、処理をＳ１００９に進める。システム制御部１５０は、画像補正が必要なレンズユニットが装着されたと判定した場合（Ｓ１０２１でＹＥＳ）、処理をＳ１０２２に進める
Ｓ１０２２にて、システム制御部１５０は、画像補正が必須となるレンズユニットが装着されたためレンズユニットを再度付け替えることを促す旨のメッセージを表示部１２８に表示する。合わせて、それまでの撮影で得られた合成画像を記録して多重露出撮影を終了するか、合成画像を破棄して多重露出撮影を終了するかを選択可能なメニューを表示部１２８に表示し、処理をＳ１０２３に進める。
【００８３】
Ｓ１０２３にて、システム制御部１５０は、Ｓ１０２２で表示したメニューにより、ユーザが多重露出撮影を終了することを選択したか否かを判定する。システム制御部１５０は、ユーザが多重露出撮影の終了を選択していないと判定された場合（Ｓ１０２３でＮＯ）、処理をＳ１０２５へ進める。また、システム制御部１５０は、ユーザが多重露出撮影の終了を選択したと判定した場合（Ｓ１０２３でＹＥＳ）、処理をＳ１０２４へ進める。
【００８４】
Ｓ１０２４にて、システム制御部１５０は、Ｓ１０２２で表示したメニューにより、ユーザがそれまでの撮影で得られた合成画像を記録することを選択したか否かを判定する。システム制御部１５０は、ユーザが合成画像を記録することを選択していないと判定した場合（Ｓ１０２４でＮＯ）、一連の多重露出撮影を終了する。また、システム制御部１５０は、ユーザが合成画像を記録することを選択したと判定した場合（Ｓ１２０４でＹＥＳ）、処理をＳ１０１５へ進める。
【００８５】
Ｓ１０２５にて、システム制御部１５０は、レンズ着脱検知部１５４によりレンズユニットが再装着されたか否かを判定する。システム制御部１５０は、レンズユニットが装着されたと判定された場合（Ｓ１０２５でＹＥＳ）、処理をＳ１０２６へ進め、レンズユニットの再装着がないと判定した場合（Ｓ１０２５でＮＯ）、処理をＳ１０２２へ戻す。
【００８６】
Ｓ１０２６にて、システム制御部１５０は、再度装着されたレンズユニットにおいて、画像補正設定を有効にする必要があるか否か、つまり、画像補正が必須となるレンズユニットが装着されたか否かを判定する。システム制御部１５０は、再度装着されたレンズユニットにおいて画像補正設定を有効とする必要がないと判定した場合（Ｓ１０２６でＮＯ）、処理をＳ１０２７へ進める。再度装着されたレンズユニットにおいて画像補正設定を有効とする必要があると判定された場合（Ｓ１０２６でＹＥＳ）、処理をＳ１０２２へ戻す。
【００８７】
Ｓ１０２７にて、システム制御部１５０は、Ｓ１０２２で表示した警告メッセージを非表示にし、処理をＳ１００５に戻し、一連の多重露出撮影を継続する。
【００８８】
Ｓ１００９からＳ１０１７まで一連の多重露出撮影処理は、第１の実施形態におけるＳ４０９からＳ４１７と同一のため、説明を省略する。
【００８９】
以上説明したように本第４の実施形態によれば、多重露出撮影中に新たに装着されたレンズユニットにおいて画像補正設定を有効固定とする必要がある場合、つまり画像補正が必須となるレンズユニットが装着された場合、警告メッセージを表示し、ユーザの選択に応じて一連の多重露出撮影を終了できるようにした。また、ユーザが一連の多重露出撮影の終了を選択せず、再度画像補正が必須でないレンズユニットを装着し直した場合には、一連の多重露出撮影を継続できるようにした。これにより、画像補正設定を無効固定とする多重露出撮影中に、画像補正が必須となるレンズユニットが装着された場合に不正な多重画像が合成されるのを防ぐことができる。また、誤って装着した場合には、撮影を終了せず、別のレンズユニットを装着し直して一連の多重露出撮影を継続することができる。
【００９０】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2020005033.tif 000003
【図２】
2020005033.tif 000004
【図３】
2020005033.tif 000005
【図４】
2020005033.tif 000006
【図５】
2020005033.tif 000007
【図６】
2020005033.tif 000008
【図７】
2020005033.tif 000009
【図８】
2020005033.tif 000010
【図９】
2020005033.tif 000011
【図１０】
2020005033.tif 000012
【手続補正書】
【提出日】平成30年12月18日(2018.12.18)
【手続補正１】
【補正対象書類名】特許請求の範囲
【補正対象項目名】請求項１０
【補正方法】変更
【補正の内容】
【請求項１０】
レンズ交換可能な撮像手段を有する撮像装置の制御方法であって、
前記撮像手段による複数回の撮像を行って得た複数の画像を合成し、合成画像を生成する合成工程と、
レンズの着脱を検出する検出工程と、
該検出工程による検出に応じて前記合成工程を制御する制御工程とを有し、
該制御工程は、
前記合成工程による複数回の撮像を行っている際に前記検出工程による検出に基づいてレンズの再装着があり、且つ、再装着されたレンズのイメージサークルが、再装着以前に装着されていたレンズのイメージサークルと異なる場合、前記撮像手段による前記合成画像を生成するための撮像を中断する
ことを特徴とする撮像装置の制御方法。
【手続補正２】
【補正対象書類名】特許請求の範囲
【補正対象項目名】請求項１２
【補正方法】変更
【補正の内容】
【請求項１２】
レンズ交換可能な撮像手段を有する撮像装置のプロセッサが読み込み実行することで、前記撮像装置に、請求項１０又は１１に記載の制御方法の各工程を実行させるためのプログラム。